(57)【要約】      （修正有）【課題】洋式便器の使用時に、座り行為、立ち上がり行為を個人ごとに適応させて有効に補助し、その高さや幅を調整することができ、しかも不使用時にコンパクトに折り畳むことができて、収納も容易に行うことができる軽量な補助具を提供する。【解決手段】相対向する左右一対の手掛けパート１、２を有し、一対の手掛けパートの上後部分に架設される連接パート６を備え、一対の手掛けパート及び連接パートは挿入パイプ６１〜６３を介して長さ調整を可能とし、全体の高さ及び幅のサイズを自在に採択できる構成とする。【選択図】図１
0003229771.tif 000002
【実用新案登録請求の範囲】
【請求項１】
相対向する左右一対の手掛けパートを有し、その一対の手掛けパートの上後部分に架設される連接パートを備え、前記した一対の手掛けパート及び連接パートは長さ調整を可能とし、全体の高さ及び幅のサイズを自在に採択できる構成としてあることを特徴とする補助具。
【請求項２】
前記した各々の手掛けパートは前脚管、後脚管及びその各脚管の上端をつなぐ上部管とを有し、前記した後脚管は連接パートの両端に備えられた挿入パイプに嵌め付けられ、一対の手掛けパートは挿入パイプによって枢動可能とされており、加えて、この枢動をロックするロック部材が着脱自在に備えられていることを特徴とする請求項１に記載の補助具。
【請求項３】
前記した各々の手掛けパートの前脚管と後脚管の間には補強管が設けられ、その補助管には緩衝材としての握持部材が着脱自在に取り付けられていることを特徴とする請求項１または２に記載の補助具。
【請求項４】
前記した手掛けパートの前脚管と後脚管の下方には接続管が備えられ、少なくとも前後一方の接続管には調整管が内部に介在されており、その調整管の上端寄りと下端寄りに高さの位置決めをするためのスプリングピンが設けられ、前記した接続管には多段階でピン材の係合孔が形成されていることを特徴とする請求項１から３のうち１項に記載の補助具。
【請求項５】
前記した連接パートは受管と挿入管とで構成され、前記受管には横方向に複数のピン材係合孔が形成され、挿入管の先端寄りには前記ピン材係合孔と係合するスプリングピンが設けられていることを特徴とする請求項１に記載の補助具。
【請求項６】
前記した接続管の下端には支持部材が着脱交換自在に備えられていることを特徴とする請求項４に記載の補助具。
【請求項７】
前記した連接パートは横平行の二段構成とされ、手掛けパート近傍で鈍角に屈曲されて、手掛けパートの奥行きを構成し、緩衝用のクッション部材が着脱自在に備えられていることを特徴とする請求項１または５に記載の補助具。
【考案の詳細な説明】
【技術分野】
【０００１】
本考案は補助具、特に洋式便器を使用する際に、高齢者、身障者等の座り時、立ち上がり時の補助をするため、時として、支持部材を交換することで歩行の補助をすることも可能となる補助具に関する。
【背景技術】
【０００２】
一般的に洋式便器は、蓋を開けて便座の上に座って使用されるものであるが、高齢者や身障者の場合、特に脚力が弱っていると、使用する際の座り時及び立ち上がり時によろけてしまう虞がある。そこで、便器の周囲に掴り用のバー等を配備しておく例もある。
【０００３】
しかしながら、前記した掴り用のバー等の設置はその位置が固定されているもので、場合によっては使用者と適合しない場合もあり、加えて、作用がそのバー等を掴んで、自身の体を引き上げる作業が必要となって、腕力も必要となってくる。
【先行技術文献】
【特許文献】
【０００４】
出願人は、本願考案について、先行する技術文献を調査したが、格別に本願考案と関連し、類似していると思われる文献は発見することができなかった。
【考案の概要】
【考案が解決しようとする課題】
【０００５】
本願考案が解決しようとする問題点は、従来、洋式便器の使用時に、座り行為、立ち上がり行為を個人ごとに適応させて有効に補助し、その高さや幅を調整することができ、しかも不使用時にコンパクトに折り畳むことができて、収納も容易に行うことができる軽量な補助具は存在していなかったという点である。
【課題を解決するための手段】
【０００６】
上記した目的を達成するために本考案に係る補助具は、相対向する左右一対の手掛けパートを有し、その一対の手掛けパートの上後部分に架設される連接パートを備え、前記した一対の手掛けパート及び連接パートは長さ調整を可能とし、全体の高さ及び幅のサイズを自在に採択できる構成としてあることを特徴としている。
【０００７】
また、本考案に係る補助具は、前記した各々の手掛けパートは前脚管、後脚管及びその各脚管の上端をつなぐ上部管とを有し、前記した後脚管は連接パートの両端に備えられた挿入パイプに嵌め付けられ、一対の手掛けパートは挿入パイプによって枢動可能とされており、加えて、この枢動をロックするロック部材が着脱自在に備えられていることを特徴としている。
【０００８】
さらに、本考案に係る補助具は、前記した各々の手掛けパートの前脚管と後脚管の間には補強管が設けられ、その補助管には緩衝材としての握持部材が着脱自在に取り付けられていることを特徴としている。
【０００９】
そして、本考案に係る補助具は、前記した手掛けパートの前脚管と後脚管の下方には接続管が備えられ、少なくとも前後一方の接続管には調整管が内部に介在されており、その調整管の上端寄りと下端寄りに高さの位置決めをするためのスプリングピンが設けられ、前記した接続管には多段階でピン材の係合孔が形成されていることを特徴としている。
【００１０】
また、本考案に係る補助具は、前記した連接パートは受管と挿入管とで構成され、前記受管には横方向に複数のピン材係合孔が形成され、挿入管の先端寄りには前記ピン材係合孔と係合するスプリングピンが設けられていることを特徴としている。
【００１１】
さらに、本考案に係る補助具は、前記した接続管の下端には支持部材が着脱交換自在に備えられていることを特徴としている。
【００１２】
そして、本考案に係る補助具は、前記した連接パートは横平行の二段構成とされ、手掛けパート近傍で鈍角に屈曲されて、手掛けパートの奥行きを構成し、緩衝用のクッション部材が着脱自在に備えられていることを特徴としている。
【考案の効果】
【００１３】
本考案に係る補助具は、上記のように構成されている。そのため、洋式便器の使用時に、その洋式便器の周囲をコ字状に囲み、高さ、幅を任意のものに調整できるので、何人でも自己に最適となるセット状態を得ることができ、コンパクトに折り畳めるので、不使用時の収納もスペースをとらず、容易に行うことができる。
【図面の簡単な説明】
【００１４】
【図１】本考案を実施した補助具を示す斜視図である。
【図２】別方向から見た斜視図である。
【図３】部分的な分解斜視図である。
【図４】連接パートの組み付け状態を示す図である。
【図５】接続管の組み付け状態を示す図である。
【図６】支持部分の組み付け状態を示す図である。
【図７】手掛けパートの枢動状態を示す図である。
【図８】折り畳んだ状態を示す図である。
【図９】支持部材にキャップ材を使用した図である。
【図１０】支持部材に２種を用い連接パートにクッション材を取り付けた図である。
【考案を実施するための形態】
【００１５】
図面として示し、実施例で説明したように構成したことで実現した。
【実施例１】
【００１６】
次に、本考案の好ましい実施の一例を図面を参照して説明する。図中１、２は相互に相対向する一対の手掛けパートを示している。この各々の手掛けパート１、２は各々前脚管３及び後脚管５を平行状態で有しており、この前脚管３と後脚管５の上端部分は上部管４によって一体的に連結されているもので、後脚管５側が前脚管３側よりも高さが高く設定されており、即ち、前方に向けての下り傾斜が形成され手摺りとして使用し易くなっており、上部管４のコーナーは弧状に湾曲されて、手足が当たっても損傷のないようになっている。尚、上部管４は滑り防止材４１がコーティングされている。
【００１７】
また、図６は一対の手掛けパート１、２を一体化するための連接パートを示している。この連接パート６は上下に平行な二本の管材で構成されており、左右に分離可能なものが接合部６３で接合構成されており、二本の管材間はスペーサ用の小管で一体に連結されている。また、この連接パート６の両端部には挿入パイプ６１、６２が一体に設けられており、後脚管５、５がこの挿入パイプ６１、６２内に挿入される。さらに、この連接パート６の両端近傍は鈍角に屈曲されて、補助具全体の奥行きスペースを確保できるようになっている。
【００１８】
前記した接合部６３は、一方が受管６３１とされ、他方がその受管６３１に嵌入される挿入管６３２とされているもので、上側の受管６３１には横方向に複数のロックピンの係合孔６３３が列設されており、挿入管６３２の先端寄りには位置決めロックされるスプリングロックピン６３４が設けられている。即ち、このロックピン６３４をどの係合孔６３３と合わせるかによって、補助具全体の幅を調整選択することができるようになっている。
【００１９】
また、図中７は補強管を示している。この補強管７の両端部は前脚管３及び後脚管５の外壁面に密接するように弧状の切り欠きが形成されており、補強管７を前脚管３と後脚管５の間にセットし、各々前脚管３、後脚管５の外方からねじ（ビス）７１によって固定止着される構成となっている。
【００２０】
前記した補強管７の外周には、緩衝効果も有する握持部材（グリップ）８を取り付けることができる。この握持部材８は弾発性を有する素材で成形された円筒状となっており、その一部に軸芯方向に沿った一つのスリットが形成されており、このスリットと素材の弾発性によって取り付けがなされる。
【００２１】
さらに、前記した前脚管３及び後脚管５の下方にはカラー（スペーサ）を介して接続管９が連接される。前脚管３はこの接続管９の上方から挿し込むことでよいが、後脚管５の場合は、縦方向に複数のピン孔９１１を列設した接続管９１の使用が好ましい。
【００２２】
接続管９１の内部には内部収納管（調整管）９２が挿入される。この内部収納管９２は上部がやや細径となっており、この細径部分が後脚管５の下端開口から嵌め付けられる。この細径部分にはスプリングピン９２１が設けられており、このスプリングピン９２１が後脚管５に形成されている係合孔９３にスプリング効果で嵌められ位置決め固定される。接続管９１は内部収納管９２と合体して一つの接続管９を構成することになる。
【００２３】
また、内部収納管９２の下端寄りにはスプリングピン９２２が設けられており、このスプリングピン９２２を接続管９１のピン孔９１１のうち任意のものを選択して適合させ、スプリングピンでロックすることで、高さを調整選択することができるようになっている。
【００２４】
前記したように後脚管５は挿入パイプ６１、６２内に挿入されてその挿入パイプ６１、６２内で回動自在となっている。しかしながら、使用時に後脚管５が自由に回動してしまっては安定しないので、この回動をロックさせる必要がある。回動は後述するように折り畳む際に手掛けパート１、２を枢動させるために必要な要素となる。
【００２５】
挿入パイプ６１、６２には、その上方位置にピン挿込孔６５が形成されており、挿入された後脚管５のピン受孔５２と貫通され、そこに挿入パイプ６１、６２の外面からロック部材６６が嵌め付けられて後脚管５の回動がロックされる。このロック部材６６は挿入パイプ６１、６２の外表面と合致する一部を切り欠いたリング状のものとされ、その内側に係止ピンが一体に備えられた構成とされている。
【００２６】
また、挿入パイプ６１、６２の下端寄りには弧状にガイド溝６４が形成されており、そのガイド溝６４に後脚管５に設けられたスプリングピンによるストッパ５１が沿って係合し、回動を停止させ折り畳み時に過度枢動を生じてしまうことを防止している。尚、このロック部材６６は不使用時には受管６３１、挿入管６３２に形成されている挿込孔６７に挿し込んで保持させておくことができ、紛失してしまう虞がない。
【００２７】
さらに、接続管９の下端には、補助具全体を安定させて設置するための支持部材１０が着脱交換自在に設けられている。この支持部材１０の例の一つとしてゴムや軟性プラスチックで成形された吸盤の使用があり、この吸盤の場合は頂部に雄ねじが設けられており、この雄ねじを接続管９の下端内部に形成される雌ねじに螺合させることで固着する。尚、１０１は吸盤の上面周域に１２０度ピッチで設けられた突片であり、この突片１０１は補強と、吸盤を設置位置から外す際の摘みとしても作用する。
【００２８】
また、前記した支持部材１０は吸盤に代えてゴムや軟性プラスチックで成形されたキャップを使用することもでき、このキャップを接続管９の下端に被冠させることができ、吸盤とこのキャップを併せて部位ごとに使用することもできる。
【００２９】
前記した連接パート６の特に太径となる受孔６３１には、握持部材８を取り付けることができ、この取り付けによって補助具使用時に洋式便器の便蓋の当接を緩衝させる緩衝材として効を奏する。
【００３０】
本考案に係る補助具は上記したように構成されている。全体に使用されている管材は比較的軽量のアルミニウムが使用されており、全体の重量が軽くなり、取り扱いや運搬も容易なものとなっている。そして、幅や高さの調整に関しての管材の位置決めロックにはスプリングピン、即ち、コイルスプリングで外方へ附勢されているピン材を用いているので、作業は単に、該当管の内壁でこのスプリングピンを押し摺動させ、係合孔と合致させると自動的に係合ロックが行えるため、作業も容易で迅速なものとなる。また、外す場合も、このスプリングピンの頭部を外部から押すことでロックが解除される。また、スプリングピンは該当管に附設されており、取り外してしまうことがないので、紛失してしまう虞はない。また、ロック部材６６を外すことで、図８に示すようにコンパクトに折り畳むことができる。加えて、連接パート６が分離可能なため、洋式便器に附設される洗浄用の配水管を避けてセットすることができる。
【産業上の利用可能性】
【００３１】
本考案に係る補助具は上記のように構成され、洋式便器使用時の座り及び立ち上がり動作の補助をするが、支持部材１０をキャスター等に代替することで、歩行補助具としての使用も可能となる。
【符号の説明】
【００３２】
１、２  手掛けパート
３    前脚管
４    上部管
５    後脚管
５１  ストッパ（スプリングピン）
６    連接パート
６３  接続部
６４  ガイド溝
６３４、９２１、９２２  スプリングピン
７    補強管
８    握持部材（クッション材）
９    接続管
９２  内部収納管（調整管）
１０  支持部材
【図１】
0003229771.tif 000003
【図２】
0003229771.tif 000004
【図３】
0003229771.tif 000005
【図４】
0003229771.tif 000006
【図５】
0003229771.tif 000007
【図６】
0003229771.tif 000008
【図７】
0003229771.tif 000009
【図８】
0003229771.tif 000010
【図９】
0003229771.tif 000011
【図１０】
0003229771.tif 000012
【手続補正書】
【提出日】令和2年9月30日(2020.9.30)
【手続補正１】
【補正対象書類名】実用新案登録請求の範囲
【補正対象項目名】全文
【補正方法】変更
【補正の内容】
【実用新案登録請求の範囲】
【請求項１】
相対向する左右一対の手掛けパートを有し、その一対の手掛けパートの上後部分に架設される連接パートを備え、前記した一対の手掛けパート及び連接パートは長さ調整を可能とし、全体の高さ及び幅のサイズを自在に採択できる構成としてあることを特徴とする補助具。
【請求項２】
前記した各々の手掛けパートは前脚管、後脚管及びその各脚管の上端をつなぐ上部管とを有し、前記した後脚管は連接パートの両端に備えられた挿入パイプに嵌め付けられ、一対の手掛けパートは挿入パイプによって枢動可能とされており、加えて、この枢動をロックするロック部材が着脱自在に備えられていることを特徴とする請求項１に記載の補助具。
【請求項３】
前記した各々の手掛けパートの前脚管と後脚管の間には補強管が設けられ、その補強管には緩衝材としての握持部材が着脱自在に取り付けられていることを特徴とする請求項１または２に記載の補助具。
【請求項４】
前記した手掛けパートの前脚管と後脚管の下方には接続管が備えられ、少なくとも前後一方の接続管には調整管が内部に介在されており、その調整管の上端寄りと下端寄りに高さの位置決めをするためのスプリングピンが設けられ、前記した接続管には多段階でピン材の係合孔が形成されていることを特徴とする請求項１から３のうち１項に記載の補助具。
【請求項５】
前記した連接パートは受管と挿入管とで構成され、前記受管には横方向に複数のピン材係合孔が形成され、挿入管の先端寄りには前記ピン材係合孔と係合するスプリングピンが設けられていることを特徴とする請求項１に記載の補助具。
【請求項６】
前記した接続管の下端には支持部材が着脱交換自在に備えられていることを特徴とする請求項４に記載の補助具。
【請求項７】
前記した連接パートは横平行の二段構成とされ、手掛けパート近傍で鈍角に屈曲されて、手掛けパートの奥行きを構成し、緩衝用のクッション部材が着脱自在に備えられていることを特徴とする請求項１または５に記載の補助具。
【手続補正２】
【補正対象書類名】明細書
【補正対象項目名】０００８
【補正方法】変更
【補正の内容】
【０００８】
さらに、本考案に係る補助具は、前記した各々の手掛けパートの前脚管と後脚管の間には補強管が設けられ、その補強管には緩衝材としての握持部材が着脱自在に取り付けられていることを特徴としている。